(57)【要約】【課題】  基地局が広いサービスエリアをカバーする場合でも、着信音の抑制はもとより通話等の使用抑制が確実に行える移動体通信装置を提供する。【解決手段】  無線制御部１０３は、無線通信部１０２を制御して、図示しない同規格の電波あるいは超音波を用いた無線通信装置との接続および通信を行う。携帯電話機１００の中央制御部１０４は、図示しない基地局と電波による通信を行う基地局通信部１０６、前記無線制御部１０３およびユーザインターフェース１０７等を制御している。中央制御部１０４は無線制御部１０３との通信により、無線通信部１０２による接続を検出すると、設定記憶部１０５に記憶されている所定の情報と比較し、条件に合えば携帯電話機１００の動作モードを予め設定記憶部１０５に書込まれている設定に変更する。【選択図】  図１
2005341420.tif 000002
【特許請求の範囲】
【請求項１】
基地局を介して通話およびデータ通信をおこなう移動体通信手段と、固有ＩＤ情報を受信する近距離通信手段とを有する移動体通信装置において、受信した固有ＩＤに対応させて、移動体通信装置が動作すべき動作モードと該動作モードの継続時間帯情報とを保持する設定記憶手段と、前記近距離通信手段に受信があった際に通信相手の固有ＩＤを抽出し、前記設定記憶手段に保持している固有ＩＤ情報を参照して、移動体通信装置の動作モードを前記継続時間帯のあいだ前記固有ＩＤに対応する動作モードに変更するモード制御手段とを備えたことを特徴とする移動体通信装置。
【請求項２】
前記近距離通信手段は電波を使用して固有ＩＤ情報を受信することを特徴とする請求項１記載の移動体通信装置。
【請求項３】
前記近距離通信手段はＢｌｕｅｔｏｏｔｈを用い、前記固有ＩＤはＢｌｕｅｔｏｏｔｈアドレスを使用することを特徴とする請求項２記載の移動体通信装置。
【請求項４】
前記近距離通信手段はＩＥＥＥ８０２．１１を用い、前記固有ＩＤはＭＡＣアドレスを使用することを特徴とする請求項２記載の移動体通信装置。
【請求項５】
前記近距離通信手段は超音波を使用して固有ＩＤ情報を受信することを特徴とする請求項１記載の移動体通信装置。
【請求項６】
基地局を通して通話およびデータ通信をおこなう移動体通信手段と、固有ＩＤ情報を受信する近距離通信手段と、受信した固有ＩＤに対応させて、移動体通信装置が動作すべき動作モードと該動作モードの継続時間帯情報とを保持する設定記憶手段とを有する移動体通信装置における動作モードの変更方法であって、前記近距離通信手段に受信があった際に通信相手の固有ＩＤを抽出し、前記設定記憶手段に保持している固有ＩＤ情報を参照して、移動体通信装置の動作モードを前記固有ＩＤに対応する動作モードに前記継続時間帯のあいだ変更することを特徴とする移動体通信装置の動作モード変更方法。
【請求項７】
コンピュータを、請求項１、２、３、４または５に記載の移動体通信装置として機能させるためのプログラム。
【請求項８】
請求項７に記載の移動体通信プログラムを記録したコンピュータ読み取り可能な記録媒体。
【発明の詳細な説明】
【技術分野】
【０００１】
本発明は、携帯電話機等の移動体通信装置に関し、特に劇場等の公開の場や、公共交通機関乗車中などにおける移動体通信装置の使用抑止技術に関する。
【背景技術】
【０００２】
近年、携帯電話が目覚しい勢いで普及し、一人一台の時代に突入している。一方、携帯電話が引き起こす問題として、携帯電話機から発射される電磁波（電波）が与えるペースメーカ等の医療機器や精密電子機器への影響、運転中の通話による事故、映画館、公共交通機関などの公共の場におけるマナー違反などが社会問題となっている。このような問題に対して、携帯電話機には他人に迷惑とならないように、着信音を鳴らさないマナーモードという待ち受け状態を設定できるようになっている。しかし、マナーモードも電源のオン／オフと同様に、通常はユーザ（利用者）自身が設定するため、切り忘れや設定忘れが起り易く、初めからこのようなことをする意思のないユーザも居ないわけではない。
マナーモードをユーザ自身の操作に任せずに自動的に設定する方法も提案されている。例えば、あらかじめユーザの操作により携帯電話端末にマナーモード設定用と解除用の基地局ＩＤを記憶させておき、携帯電話端末は基地局から報知される基地局ＩＤがそれらと一致するか比較して、マナーモード設定用の基地局ＩＤと一致したならばマナーモードの設定を自動的に行い、解除用の基地局ＩＤと一致したならば、その基地局ＩＤ受信中まではマナーモードを続行、受信できなくなったならばマナーモードの解除を自動的に行う方法が提案されている（例えば特許文献１）。特許文献１によると、マナーモード設定中には着信があっても着信報知音を鳴らさない。またこのとき、端末が自動応答し、マナーモード中でありユーザ（着信者）が自身で着信応答できない旨のメッセージを発信者へ伝えるようになっている。
【特許文献１】特開２０００−１８８７８１公報
【発明の開示】
【発明が解決しようとする課題】
【０００３】
しかしながら、上記従来技術では、基地局から報知される基地局ＩＤを利用しているため、基地局が広いサービスエリアをカバーする場合には、広いエリアの中に限られた狭い範囲のマナーモードエリアを設定することになり、マナーモード設定用と解除用の基地局が発射する電波の強度によっては、マナーモードの設定および解除に不徹底が生じるという問題がある。
本発明は、上述した実情を考慮してなされたものであって、基地局が広いサービスエリアをカバーする場合でも、着信音の抑制はもとより通話等の使用抑制が確実に行える移動体通信装置を提供することを目的とする。
【課題を解決するための手段】
【０００４】
上記の課題を解決するために、請求項１に記載の移動体通信装置は、基地局を介して通話およびデータ通信をおこなう移動体通信手段と、固有ＩＤ情報を受信する近距離通信手段とを有する移動体通信装置において、受信した固有ＩＤに対応させて、移動体通信装置が動作すべき動作モードと該動作モードの継続時間帯情報とを保持する設定記憶手段と、前記近距離通信手段に受信があった際に通信相手の固有ＩＤを抽出し、前記設定記憶手段に保持している固有ＩＤ情報を参照して、移動体通信装置の動作モードを前記継続時間帯のあいだ前記固有ＩＤに対応する動作モードに変更するモード制御手段とを備えたことを特徴とする。
また、請求項２は、請求項１記載の移動体通信装置において、前記近距離通信手段は電波を使用して固有ＩＤ情報を受信することを特徴とする。
また、請求項３は、請求項２記載の移動体通信装置において、前記近距離通信手段はＢｌｕｅｔｏｏｔｈを用い、前記固有ＩＤはＢｌｕｅｔｏｏｔｈアドレスを使用することを特徴とする。
また、請求項４は、請求項２記載の移動体通信装置において、前記近距離通信手段はＩＥＥＥ８０２．１１を用い、前記固有ＩＤはＭＡＣアドレスを使用することを特徴とする。
また、請求項５は、請求項１記載の移動体通信装置において、前記近距離通信手段は超音波を使用して固有ＩＤ情報を受信することを特徴とする。
また、請求項６の移動体通信装置の動作モード変更方法は、基地局を通して通話およびデータ通信をおこなう移動体通信手段と、固有ＩＤ情報を受信する近距離通信手段と、受信した固有ＩＤに対応させて、移動体通信装置が動作すべき動作モードと該動作モードの継続時間帯情報とを保持する設定記憶手段とを有する移動体通信装置における動作モードの変更方法であって、前記近距離通信手段に受信があった際に通信相手の固有ＩＤを抽出し、前記設定記憶手段に保持している固有ＩＤ情報を参照して、移動体通信装置の動作モードを前記固有ＩＤに対応する動作モードに前記継続時間帯のあいだ変更することを特徴とする。
また、請求項７は、コンピュータを、請求項１、２、３、４または５に記載の移動体通信装置として機能させるためのプログラムであることを特徴とする。
また、請求項８は、請求項７に記載の移動体通信プログラムを記録したコンピュータ読み取り可能な記録媒体であることを特徴とする。
【発明の効果】
【０００５】
本発明によれば、公共の場において強力な電波を発生する移動体通信装置の使用を制限でき、ユーザに対しては動作モードの設定変更を不要にしたことによる利便性を提供できる。
【発明を実施するための最良の形態】
【０００６】
以下、図面を参照して、本発明の実施形態を詳細に説明する。なお、本実施形態では移動体通信装置として携帯電話機を例に説明する。
図１は、本発明にかかる携帯電話機の要部の機能構成を示す図である。無線制御部（近距離通信手段）１０３は、無線通信部１０２を制御して、図示しない同規格の電波あるいは超音波を用いた無線通信装置との接続および通信を行う部分である。つまり、通常の通話とは別の通信手段を用いるため、基地局がカバーするサービスエリアの広さとは無関係にマナーモードを設定する範囲（例えば劇場の観客席）を設定できる。携帯電話機１００の中央制御部１０４は、図示しない基地局と電波による通信を行う基地局通信部（移動体通信手段）１０６、前記無線制御部１０３およびユーザインターフェース１０７等を制御している。また中央制御部（モード制御手段）１０４は無線制御部１０３との通信により、無線通信部１０２による接続を検出すると、設定記憶部（設定記憶手段）１０５に記憶されている所定の情報と比較し、条件に合えば携帯電話機１００の動作モードを予め設定記憶部１０５に書込まれている設定に変更する。
なお、中央制御部１０４はマイクロプロセッサ（ＣＰＵ）、ＲＯＭ、ＲＡＭを備え、上述の機能はＲＯＭに格納されたプログラムをＣＰＵが実行することで達成される。ＲＡＭはＣＰＵがプログラムの実行に際し中間結果の一時格納等に使用する。また、超音波による通信は所定の変調（例えばＦＳＫや周波数変調）を行うことで送信側装置の固有ＩＤを伝送することができる。受信側の携帯電話機１００は超音波変調波を検波してデータを取り出せばよい。なお、携帯電話機１００は、応答を返さなければ電力消費はかなり抑えられる。
【０００７】
図２は、設定記憶部１０５に書込まれている動作モード設定条件情報を説明する図である。設定記憶部１０５には、無線通信部１０２との通信相手を特定する固有ＩＤ（例えばＢｌｕｅｔｏｏｔｈ規格ならばＢＤ＿Ａｄｄｒ）と、携帯電話機１００のマナーモードなどの設定・解除をするための条件と、マナーモード設定時の設定内容が書込まれている。この情報は、出荷時に所定の固有ＩＤに対応する設定内容をすでに書込んでおくか、ユーザが携帯電話機１００のユーザインターフェース１０７から手操作で固有ＩＤ、条件および動作モード設定を入力するようにしてもよい。
ここに書込まれる条件情報は、無線通信部１０２から接続要求を受信し、接続相手端末の固有ＩＤを抽出し、固有ＩＤや条件の一致を判断する際に用いられる情報である。書込まれる固有ＩＤは、固有ＩＤの他に固有ＩＤの一部または全ての桁にワイルドカード記号や固有ＩＤの範囲を指定してもよい。条件には時間帯情報を含み、固有ＩＤと併せて使われる。中央制御部１０４は、無線通信部１０２から接続要求を受信し、接続相手端末の固有ＩＤを抽出した後に設定記憶部１０５に書込まれている固有ＩＤと比較し、さらに条件を満たしている場合はその設定を有効にする。
【０００８】
図３は携帯電話機１００のモード設定処理手順を示す図である。本発明の携帯電話機１００は、通常の基地局との通信を行う通信機能とは別に、あらかじめ設置されているモード変更・解除信号を発信するモード信号発信装置との無線通信機能を有し、このモード信号発信装置からの接続要求を無線通信部１０２が受信した際、接続要求処理を実行する（ステップ３０１）。ここでの無線通信は、通常の移動体通信で基地局と交信する時に使用される電波よりも微弱な電波を使用するＢｌｕｅｔｏｏｔｈ、あるいはＩＥＥＥ８０２．１１等の規格でよい。またＢｌｕｅｔｏｏｔｈを使用する場合の固有ＩＤはＢｌｕｅｔｏｏｔｈアドレスとし、ＩＥＥＥ８０２．１１の場合はＭＡＣアドレスを固有ＩＤとして使用する。
モード信号発信装置との接続がなされると、予め設定されている動作モード設定条件情報に書込まれている内容と、接続相手の固有ＩＤ、接続要求時刻などを比較する（ステップ３０２）。比較の結果、条件を満たす場合は、携帯電話機１００の動作モードを書込まれている設定に変更する（ステップ３０４）。固有ＩＤあるいは条件が合わない場合は動作モードの変更の必要がないので、何もしないで処理を終了する（ステップ３０２がＮｏ）。
【図面の簡単な説明】
【０００９】
【図１】本発明にかかる携帯電話機の要部の機能構成を示す図である。
【図２】動作モード設定条件情報を説明する図である。
【図３】モード設定処理手順を示す図である。
【符号の説明】
【００１０】
１００…携帯電話機、
１０２…無線通信部、
１０３…無線制御部、
１０４…中央制御部、
１０５…設定記憶部、
１０６…基地局通信部、
１０７…ユーザインターフェース
【図１】
2005341420.tif 000003
【図２】
2005341420.tif 000004
【図３】
2005341420.tif 000005